(57)【要約】【課題】  外出する際に、電気機器等の消し忘れの有無を容易にチェックでき、留守中の想定外の電力消費を防止することのできる消費電力チェックシステムを提供する。【解決手段】  本発明の消費電力チェックシステムは、現在の使用電力値を計測する計測手段と、ユーザからの指示を受け付ける入力手段と、ユーザの所望する使用電力値を基準電力値として登録する登録手段と、ユーザからの指示に従い、前記基準電力値と現在の使用電力値とを比較することで、電力の異常使用の有無を検出する異常検出手段と、前記異常使用を検出した場合、所定の態様で報知する報知手段と、を備えたことを特徴とする。【選択図】  図１
2007132804.tif 000002
【特許請求の範囲】
【請求項１】
現在の使用電力値を計測する計測手段と、
ユーザからの指示を受け付ける入力手段と、
ユーザの所望する使用電力値を基準電力値として登録する登録手段と、
ユーザからの指示に従い、前記基準電力値と現在の使用電力値とを比較することで、電力の異常使用の有無を検出する異常検出手段と、
前記異常使用を検出した場合、所定の態様で報知する報知手段と、
を備えたことを特徴とする消費電力チェックシステム。
【請求項２】
前記登録手段は、ユーザからの指示に従い、前記計測手段により計測された現在の使用電力値を基準電力値として登録することを特徴とする請求項１に記載の消費電力チェックシステム。
【請求項３】
所定の通信網を介して端末装置と通信する通信手段を更に備え、
前記端末装置から所定の制御信号を受信した場合、前記異常検出手段に前記異常使用の有無を検出させ、該異常使用が検出された場合、その旨の情報を当該端末装置に送信する、
ことを特徴とする請求項１又は２に記載の消費電力チェックシステム。
【発明の詳細な説明】
【技術分野】
【０００１】
本発明は、外出時における想定外の電力消費を防止することのできる消費電力チェックシステムに関する。
【背景技術】
【０００２】
外出の際、不要な電力消費を避けるため、照明器具やテレビ、エアコン等の家電製品（以下、総称して「電気機器」と呼ぶ）のスイッチをＯＦＦにしてから出かけるのが普通であるが、複数人が同居する一般家庭では、それら電気機器の全てについて消し忘れがないか否かを確認するのも結構手間がかかる。
【０００３】
この場合、使用電力量については、近年、普及しつつある、いわゆる「省エネナビ」を使ってチェックすることが可能である。かかる省エネナビは、リアルタイムで電力使用量や電気代を表示でき、また、電気の使い過ぎを報知してくれる機器である。
【発明の開示】
【発明が解決しようとする課題】
【０００４】
しかしながら、たとえ現在の使用電力量が判っても、それが、本来作動していないはずの（即ち、スイッチを消し忘れた）電気機器によるものか否かが直ちに判るものではない。つまり、通常、冷蔵庫の消費電力や各種電気機器等の待機電力（待機時消費電力）等によって、常に電力は消費されているので、単純に使用電力量のあるなしで「消し忘れ」を判断できず、また、水槽等のペットの飼育環境を維持する場合や防犯カメラを設置している場合等、各家庭毎で留守中の消費電力の大きさは多様であり、一概にある程度の使用電力の大きさをもって「消し忘れ」を判断するわけにもいかないからである。
【０００５】
本発明は、上記実情に鑑みてなされたものであり、外出する際に、電気機器等の不要な電力消費の有無（「消し忘れ」の有無）をチェックし、使用者（住居人等）に報知することで、留守中の想定外の電力消費を防止することのできる消費電力チェックシステムを提供することを目的とする。
【課題を解決するための手段】
【０００６】
本発明に係る消費電力チェックシステムは、現在の使用電力値を計測する計測手段と、ユーザからの指示を受け付ける入力手段と、ユーザの所望する使用電力値を基準電力値として登録する登録手段と、ユーザからの指示に従い、前記基準電力値と現在の使用電力値とを比較することで、電力の異常使用の有無を検出する異常検出手段と、前記異常使用を検出した場合、所定の態様で報知する報知手段と、を備えたことを特徴とする。
【０００７】
上記構成の消費電力チェックシステムは、ユーザ（住居人等）が指示を与えることで、登録している基準電力値と現在の使用電力値との比較を行い、その結果から電力の異常使用（換言すれば、想定外の電気機器の作動）の有無を自動的に検出する。そして、前記異常使用を検出した場合には、ユーザに対してその旨の報知を行う。
【０００８】
したがって、外出中（留守中）においても使用されるであろう電力値を予め基準電力として登録しておけば、ユーザは、外出の際、スイッチをＯＦＦにするのを忘れている（消し忘れている）電気機器の存在有無を容易に認識でき、外出時における想定外の電力消費を確実に防止することが可能となる。
【０００９】
また、前記登録手段は、ユーザからの指示に従い、前記計測手段により計測された現在の使用電力値を基準電力値として登録する構成とすると、基準電力値の登録が容易となり好ましい。尚、現在の使用電力値は、家庭用分電盤（の主幹ブレーカ等）を介して容易に取得することが可能である。
【００１０】
また、所定の通信網を介して端末装置と通信する通信手段を更に備え、前記端末装置から所定の制御信号を受信した場合、前記異常検出手段に前記異常使用の有無を検出させ、該異常使用が検出された場合、その旨の情報を当該端末装置に送信する、構成を採用すると、外出した後でも消し忘れた電気機器の存在有無を容易に確認することができる。
【発明の効果】
【００１１】
以上の如く、本発明の消費電力チェックシステムは、外出する際に、電気機器等の不要な電力消費の有無を容易にチェックでき、留守中の想定外の電力消費を確実に防止することができる。
【発明を実施するための最良の形態】
【００１２】
以下、本発明に係る消費電力チェックシステムの一実施形態について図面を参照して説明する。
【００１３】
図１は、本実施形態に係る消費電力チェックシステムの構成を示すブロック図である。本消費電力チェックシステムは、個々の一般家庭に設置され、図１に示すように、制御部１、使用電力計測部２、記憶部３、入力部４、出力部５、スピーカ６及び表示部７を有している。
【００１４】
制御部１は、本システム全体の制御を行うＣＰＵ等の制御装置である。
【００１５】
使用電力計測部２（計測手段）は、当該家庭の現在の使用電力を計測する装置であり、本実施形態では、家庭用分電盤に設置した図示しない電流センサ（ＣＴ）からの信号を基に現在の使用電力値の測定を行っている。
【００１６】
記憶部３は、使用電力計測部２により計測した使用電力値を基準電力値として記憶するＲＡＭ等のメモリ装置である。
【００１７】
入力部４は、ユーザ（住居人等）からの指示を受け付けるためのインタフェースであり、具体的には、登録ボタン及びチェックボタン（共に図示せず）を備える。登録ボタンは、基準電力値を登録させるための操作ボタンであり、チェックボタンは、後述する異常使用検出処理を実行させるための操作ボタンである。
【００１８】
出力部５は、制御部１からの制御信号に従い、スピーカ６及び表示部７（本実施形態では、赤色のＬＥＤ）を介して所定内容の出力を行う。
【００１９】
以上の構成からなる本実施形態の消費電力チェックシステムの運用例を図２のフローチャートに沿って説明する。
【００２０】
図２（イ）は、基準電力値の登録処理に係るフローチャートである。先ず、ユーザによって登録ボタンが押下されると（ステップＳ２１でＹＥＳ）、入力部４は、その旨の信号を制御部１に伝送する。すると、制御部１は、現在の使用電力値（使用電力計測部２から出力される）を基準電力値として記憶部３に格納する（ステップＳ２２）。当該基準電力値は、新たな登録指示まで（即ち、次に登録ボタンが押下されるまで）、記憶部３で保持される。基準電力値の登録は以上で完了するが、かかる基準電力値は、外出時（留守中）に想定される使用電力値を意味するため、ユーザは、登録ボタンを押下する前に、外出時に作動させる必要のない電気機器（エアコン、テレビ等）のスイッチを予めＯＦＦにしておく必要がある。ここで、制御部１及び記憶部３は、登録手段を構成する。
【００２１】
図２（ロ）は、異常使用検出処理に係るフローチャートである。先ず、ユーザによってチェックボタンが押下されると（ステップＳ３１でＹＥＳ）、入力部４は、その旨の信号を制御部１に伝送する。すると、制御部１は、現在の使用電力値を使用電力計測部２を通じて取得し、これと記憶部３に保持している基準電力値との比較を行い、異常使用であるか否かの判定処理を行う（ステップＳ３２）。具体的には、現在の使用電力値が基準電力値を超えている場合には、異常使用であると判定する。ここで、制御部１は、異常検出手段を構成する。
【００２２】
かかる判定処理の結果、異常使用でない場合は（ステップＳ３３でＮＯ）、何もせず当該異常使用検出処理は終了する。一方、異常使用の場合は（ステップＳ３３でＹＥＳ）、制御部１は、出力部５にその旨の信号を伝送する。出力部５は、かかる信号を受けると、スピーカ６及び表示部７を介して所定内容の報知を行う（ステップＳ３４）。具体的には、スピーカ６から所定の音声メッセージ（例えば、”消し忘れがあります”等）を出力させ、また、表示部７（赤色ＬＥＤ）を点灯（あるいは点滅でもよい）させる。ここで、出力部５、スピーカ６及び表示部７は報知手段を構成する。尚、スピーカ６からの出力は、音声メッセージではなく警告音（ブザー音）等であってもよい。
【００２３】
かかる報知によりユーザは、異常使用（即ち、消し忘れた電気機器）の存在有無を即座に認識することができる。尚、異常使用でない場合もスピーカ６及び表示部７を介して報知する構成にしてもよい。この場合、前者ならば、例えば、”消し忘れはありません”等の音声メッセージを出力させ、後者ならば、別色（例えば、青色）のＬＥＤを設けて、これを点灯（あるいは点滅）させるようにすればよい。
【００２４】
以上説明したように、本発明の上記実施形態の消費電力チェックシステムによれば、ユーザは、スイッチをＯＦＦにするのを忘れている（消し忘れている）電気機器の存在有無を容易に認識でき、外出時における想定外の電力消費を確実に防止することが可能となる。
【００２５】
尚、本発明に係る消費電力チェックシステムは、上記実施形態に限定されるものではなく、本発明の要旨を逸脱しない範囲で種々の変更が可能である。
【００２６】
例えば、上記実施形態の消費電力チェックシステムは、スピーカ６及び表示部７を備えているが、何れか一方のみを備える構成であってもよい。
【００２７】
また、表示部７は、上記実施形態以外にも、例えば、液晶表示器、ドットマトリクスＬＥＤ又は７セグメントＬＥＤ等で構成することも可能である。
【００２８】
また、数値入力可能な装置（例えば、テンキー状の装置）を入力部４に設けることで、基準電力値の登録において、ユーザが所望の値を入力できる構成にしてもよい。
【００２９】
さらに、図３に示すように、所定の通信網（例えば、インターネット網）を介して端末装置（例えば、携帯電話等）と通信する通信部１０（通信手段）を備える構成にしてもよい。かかる構成にすると、外出した後でも端末装置を使って、上記異常使用検出処理を実行させ、消し忘れた電気機器の存在有無を容易に確認することが可能となる。具体的に説明すると、例えば、端末装置から所定の制御信号を本システムに送信（例えば、本システム宛に空メールを送信する）し、該制御信号を受信した通信部１０が、入力部４に対して、チェックボタンが押下された場合と同等の信号を伝送することで、制御部１に異常使用検出処理を実行させることが可能となる。また、かかる異常使用検出処理の結果は、音声又は文字メッセージ等により、出力部５及び通信部１０を介して当該端末装置に送信してやればよい。
【図面の簡単な説明】
【００３０】
【図１】本発明の一実施形態に係る消費電力チェックシステムの構成を示すブロック図である。
【図２】同実施形態に係る消費電力チェックシステムの運用例を説明するためのフローチャートであり、（イ）は、基準電力値の登録処理に係るフローチャートであり、（ロ）は、異常使用検出処理に係るフローチャートである。
【図３】他の実施形態に係る消費電力チェックシステムの構成を示すブロック図である。
【符号の説明】
【００３１】
１  制御部
２  使用電力計測部
３  記憶部
４  入力部
５  出力部
６  スピーカ
７  表示部
１０  通信部
【図１】
2007132804.tif 000003
【図２】
2007132804.tif 000004
【図３】
2007132804.tif 000005